(57)【要約】【課題】着座者をその姿勢が適正になるようにサポートする。【解決手段】着座状態の臀部（４２）を支持可能な凹状の球状曲面形状の第１支持部（２３）と、その第１支持部（２３）の下端から前方に突出し、太腿（４３）の下側を支持可能な前部突出部（２４）と、第１支持部（２３）の上側に位置し、腰部（４４）の腸骨（１５１）部分を支持可能な凸状湾曲形状の腰部支持部（２８）を備えた上部突出部（２５）とを備える。上部突出部（２５）の付け根部の両側には、第１抉り部（３０）を形成する。【選択図】図４
2020168583.tif 000002
【特許請求の範囲】
【請求項１】
着座者の臀部を支持可能な臀部支持部と、着座者の腰部の両側を後方から支持可能な一対の腰部支持部とを備え、硬質の板材を含んで構成した姿勢保持具。
【請求項２】
前記臀部支持部を凹形状にした請求項１に記載の姿勢保持具。
【請求項３】
前記腰部支持部の前部下方に位置し、着座者の両太腿を下側から支持可能な凹形状の太腿支持部を備えた請求項１に記載の姿勢保持具。
【請求項４】
前記腰部支持部は内側前方を指向する膨出形状に形成された請求項１〜３のうちのいずれか一項に記載の姿勢保持具。
【請求項５】
前記臀部支持部を球状曲面形状に形成した請求項２〜４のうちのいずれか一項に記載の姿勢保持具。
【請求項６】
前記臀部支持部の下面の両側に脚を突設した請求項２〜５のうちのいずれか一項に記載の姿勢保持具。
【請求項７】
着座状態の臀部を支持可能な臀部支持部と、その臀部支持部の一端側から突出し、両太腿の下側を支持可能な凹形状の太腿支持部と、前記臀部支持部の他端側に位置し、腰部の両側を後方から支持可能な一対の腰部支持部とを備え、本体を硬質の板材によって構成した姿勢保持具。
【請求項８】
本体の表面に外装シートを設け設けて構成した請求項７に記載の姿勢保持具。
【請求項９】
前記腰部支持部の付け根部の側部に第１抉り部を形成した請求項７または８に姿勢保持具。
【請求項１０】
前記両太腿支持部の間に第２抉り部を形成した請求項７〜９のうちのいずれか一項に記載の姿勢保持具。
【請求項１１】
前記両腰部支持部の間に第３抉り部を形成した請求項７〜１０のうちのいずれか一項に記載の姿勢保持具。
【請求項１２】
前記本体の第１抉り部の縁部を他の部分より肉厚に形成した請求項９〜１１のうちのいずれか一項に記載の姿勢保持具。
【請求項１３】
前記外装シートを本体の着座面側に被せ、本体の背面及び下面を露出させた請求項８〜１２のうちのいずれか一項に記載の姿勢保持具。
【発明の詳細な説明】
【技術分野】
【０００１】
この発明は、例えば椅子の座部に載せて使用されるものであって、着座者の姿勢を正しい状態に保持することが可能な姿勢保持具に関するものである。
【背景技術】
【０００２】
従来、この種の姿勢保持具としては、例えば特許文献１に開示される構成が提案されている。この従来構成においては、姿勢保持具全体が発泡ポリウレタン等の厚手のクッション材により一体に成形されている。この姿勢保持具には、着座者の体重の大部分を負担する座部と、座部の後端から上方に延びる背部とが備えられている。
【先行技術文献】
【特許文献】
【０００３】
【特許文献１】特開２０１１−２５４８７８号公報
【発明の概要】
【発明が解決しようとする課題】
【０００４】
この従来構成においては、着座者の臀部は座部に沈み込むが、座部と背部が左右方向においてフラットに形成されているため、着座者の腰部や下肢を安定して支持することが難しい。この結果、着座者は正しい姿勢をとりにくい。
【０００５】
この発明は、このような従来の技術に存在する問題点に着目してなされたものである。その目的は、着座者の姿勢が適正になるようにサポートすることができる姿勢保持具を提供することにある。
【課題を解決するための手段】
【０００６】
上記の目的を達成するために、この姿勢保持具は、着座者の臀部を支持可能な臀部支持部と、着座者の腰部の両側を後方から支持可能な一対の腰部支持部とを備え、硬質の板材を含んで構成したことを特徴としている。
【０００７】
この構成によれば、着座者が着座した状態で、姿勢保持具が大きく変形することなく、着座者を安定してサポートできて、姿勢保持具の腰部支持部により着座者の腰部分を適切に支持することができる。よって、着座者の姿勢を正しい状態に保持することができる。すなわち、腰部をその背骨の両側から安定した状態で支持できるため、着座者は、良好な座り心地を得ることができるとともに、疲労感等をほとんど覚えることなく、自然に姿勢保持される。また、姿勢保持具が硬質の板材を含んで構成されているため、着座者をしっかりとサポートすることができて、姿勢の保持効果を高めることができる。そして、着座者が姿勢を崩した場合、姿勢保持具はほとんど変形しないため、着座者は直ちに正しい姿勢に戻ることができる。そして、姿勢が正しく保持されることにより、姿勢を維持する筋肉が使用されて、その筋肉を鍛えることができ、その結果、姿勢保持具を使用しない場合も自然に正しい姿勢を保つことができる。
【発明の効果】
【０００８】
前記の姿勢保持具によれば、着座者をその姿勢が適正になるようにサポートすることができるという効果を発揮する。
【図面の簡単な説明】
【０００９】
【図１】第１実施形態の姿勢保持具を示す斜視図。
【図２】図１の姿勢保持具の正面図。
【図３】図１の姿勢保持具の平面図。
【図４】人体の骨格とあわせて使用状態を示す図２の４−４線の位置における側断面。
【図５】使用状態を示す臀部支持部の位置における正断面図。
【図６】使用状態を示す太腿支持部の位置における正断面図。
【図７】図２の７−７線断面図。
【図８】図２の８−８線断面図。
【図９】使用状態を斜め後方から見た図。
【図１０】本体の正面図。
【図１１】姿勢保持具の積層構造を示す断面図。
【図１２】図１０の１２−１２線における断面図。
【図１３】第２実施形態の本体の正面図。
【図１４】第３実施形態の姿勢保持具を示す斜視図。
【図１５】図１４の姿勢保持具の背面側の斜視図。
【図１６】図１４の姿勢保持具の分解斜視図。
【図１７】図１４の姿勢保持具の正面図。
【図１８】図１７の１８−１８線における拡大断面図。
【発明を実施するための形態】
【００１０】
以下、実施形態の姿勢保持具を図面に従って説明する。
（第１実施形態）
まず、図１〜図１２に基づいて、第１実施形態について説明する。
【００１１】
図１〜図３に示すように、この実施形態の姿勢保持具２１は、全体としてほぼ花弁形状に形成されている。姿勢保持具２１は、ポリプロピレン等の硬質合成樹脂製の板材よりなる本体２２（図４及び図５参照）を含んで構成されている。ここで、硬質合成樹脂とは、発泡材あるいは発泡されていない充実材であって、自重で変形することなく自立可能な硬度を有し、例えば、ロックウェル硬度でＲ５０〜１１０の値の硬度を有する。
【００１２】
図４及び図５に示すように、姿勢保持具２１の前後方向の中央部には、着座者４１の臀部４２を支持する凹状湾曲形状の臀部支持部２３が形成されている。姿勢保持具２１の一端側である前部下側には前方に向かって前部突出部２４が形成されている。姿勢保持具２１の他端側である後部上側には上方へ向かって上部突出部２５が形成されている。図１及び図２に示すように、前記上部突出部２５の付け根部の左右の両側部には、上部突出部２５の後傾方向への適度な撓曲を可能にするために、一対の第１抉り部３０が形成されている。
【００１３】
図４及び図５に示すように、前記臀部支持部２３は、着座者４１の臀部４２を前後方向及び左右方向から安定に支持するように、上面が前後方向及び左右方向において曲面状に形成され、全体としてほぼ球状曲面の凹状に形成されている。臀部支持部２３の下面も球状曲面形状に形成されている。そして、臀部支持部２３及び前部突出部２４の下面は連続する球状曲面形状に形成されている。図１及び図３に示すように、前部突出部２４の中央部前側には、第２抉り部２６が形成されている。図６に示すように、前部突出部２４の左右両側には、つまり第２抉り部２６の両側には、着座者４１の下肢４５をほぼ平行に揃えた状態に支持できるように、前方から見て凹状に湾曲した形状の左右一対の太腿支持部２７が形成されている。これらの太腿支持部２７は、太腿４３をその下側から包み込むように支持する。また、太腿支持部２７は凹状湾曲形状になっているため、太腿４３が左右に開くことを規制する。
【００１４】
図２，図７及び図８に示すように、前記上部突出部２５には、上部２８１が凸状湾曲形状をなすとともに、下部２８２が凹状湾曲形状をなす左右一対の腰部支持部２８が形成されている。各腰部支持部２８には凸状湾曲形状をなす上部２８１が内側前方を指向するように斜め前方に向かって膨出形成されている。そのため、図４及び図５に示すように、着座者４１の腰部４４の骨盤１５１部分の両側を、背骨１５２を避けて後方から内側前方に向かって押すことができるようになっている。一対の腰部支持部２８の間には、第３抉り部２９が形成されている。
【００１５】
図１２に示すように、第１抉り部３０の奥部における本体２２の縁部３０１の肉厚ｔ１は、本体２２の他の部分の肉厚ｔ２よりも厚く形成されている。すなわち、腰部支持部２８の撓曲時に、本体２２の第１抉り部３０の奥部の縁部３０１に集中応力が作用する。そして、この応力により縁部３０１及びその近傍部分にクラック等の発生のおそれがある。この場合、このクラック等は肉厚ｔ１の増加によって抑止されるようになっている。
【００１６】
図２及び図７に示すように、姿勢保持具２１の臀部支持部２３の下面両側には、一対の脚３１が突設されている。そして、姿勢保持具２１を椅子１００の座部等の設置面上に載置したとき、この脚３１を介して姿勢保持具２１が設置面上において滑りをあまり生じることなく、安定状態に支持されるようになっている。特に、この脚３１は姿勢保持具２１の左右方向の動きを規制し、着座者４１の上体が左右に傾斜しにくいようにする。
【００１７】
図１１に示すように、前記本体２２の着座側の面には、連泡性の発泡ポリウレタン等よりなるクッション材３２が貼着されている。本体２２及びクッション材３２を含む姿勢保持具２１全体には、外装シート３４が被覆されている。この外装シート３４は、外側の織布あるいは編布よりなる表皮シート３４１と、その表皮シート３４１の裏面にラミネートされた連泡性のＥＶＡ（エチレン・酢酸ビニル共重合樹脂）等の弾性材よりなる裏シート３４２とによって構成されている。
【００１８】
図１０に示すように、本体２２における上部突出部２５の下部には複数の第１孔３３が相互間隔をおいた位置において貫設されている。このようにすれば、第１孔３３により発汗にともなう湿気を逃がすことができる。また、クッション材３２の成形の際に、図１１に示す通り、第１孔３３内にクッション材３２の一部が進入する。クッション材３２の一部が、第１孔３３内に進入することで、本体２２の表面からのクッション材３２の剥離や、その表面上におけるクッション材３２の移動が抑止される。
【００１９】
本体２２の全体には、複数の小さな第２孔２２１が形成されている。この第２孔２２１は前記第１孔３３とともに、着座者の発汗にともなう湿気を逃がすためのものである。この第２孔２２１内にもクッション材３２の成形の際にその一部が進入される。
【００２０】
次に、前記のように構成された姿勢保持具２１の作用を説明する。
例えばオフィスにおいて、椅子に着座してデスクワークを行う際に、この姿勢保持具２１を使用する場合には、姿勢保持具２１を椅子の座部上に載置する。この状態で、図４〜図６及び図９に示すように、着座者４１が姿勢保持具２１上に着座すると、臀部支持部２３から前部突出部２４に跨る位置の下面が球状曲面形状に形成されているため、着座者４１の体重により姿勢保持具２１がわずかに前傾状態になり、この状態で着座者４１の臀部４２が球面凹状の臀部支持部２３上に支持される。このとき、臀部支持部２３は左右の脚３１によって左右方向への傾斜が規制されるため、左右方向においては、臀部支持部２３は比較的安定している。
【００２１】
このように、姿勢保持具２１のわずかな前傾とともに着座者４１の臀部４２もわずかに前傾することで、着座者４１の骨盤１５１が立った状態となり、その状態で着座者４１の臀部４２が臀部支持部２３上に支持されることとなる。なお、骨盤１５１が立つことで背筋（せすじ）が自然に伸びる状態になるので、姿勢保持具２１が前傾しても、着座者の上体が前傾することはない。また、着座者４１の両太腿４３が前部突出部２４上の凹状湾曲形状の太腿支持部２７によりほぼ平行状態に支持される。従って、着座者の下肢４５が揃えた状態でサポートされる。
【００２２】
さらに、姿勢保持具２１の前傾により、上部突出部２５の一対の腰部支持部２８も前方に移動することで、図３及び図４に示すように、着座者４１の腰部４４における腸骨を含む骨盤１５１部分が左右から包み込まれるように支持される。このとき、図８に示すように、腰部４４の両側が上部突出部２５の一対の腰部支持部２８における凸状湾曲形状の上部２８１により、後方から内側前方に向かって押されて支持される。これによって、着座者４１の背筋が無理なく自然に伸びて、良好な座り心地を得た状態で姿勢が正しい状態にサポートされる。従って、着座者４１は、ほとんど疲労を感じることなく、正しい姿勢を長時間維持できる。
【００２３】
この場合、姿勢保持具２１の上部突出部２５の付け根部の両側部に、一対の第１抉り部３０が形成されている。このため、着座者４１が着座状態で、後方にもたれかかった場合、上部突出部２５が第１抉り部３０によって幅狭にされた部分において後傾方向へ適度に撓曲されて、着座者４１の動きが許容される。また、着座者４１が太り気味の場合や大きな体形の場合には、その体形による窮屈さが第１抉り部３０によって軽減されて、快適な座り心地を確保することができる。つまり、第１抉り部３０によって、上部突出部２５の付け根部の両側部、すなわち臀部支持部２３と上部突出部２５との間の両側部が開放されているため、着座者の窮屈感が軽減される。
【００２４】
なお、この姿勢保持具２１は椅子の座部上で使用されるだけではなく、床面上に設置して使用することもできる。すなわち、本体２２が硬質材で構成されているため、姿勢を保持可能な座椅子として使用することが可能である。
【００２５】
前記姿勢保持具２１は、例えば、前部突出部２４を設けないように構成することも可能である。この場合、例えば、図３に１点鎖線１０１で示す位置が姿勢保持具２１の前端になる。このように構成した場合、例えば、床に置いて座椅子として使用する場合には、太腿支持部２７により下肢４５が規制されることが無くなるので、胡坐等任意の姿勢で座りやすくなる等、着座者４１の下肢４５の自由度が増える。ただし、太腿支持部２７による下肢４５の支えが無くなるので、太腿４３を水平に保つ効果は若干薄れるが、床上であるため、ほとんど問題はない。そして、左右方向において脚３１が形成されている臀部支持部２３により、臀部４２をほぼ水平に保つことが可能となる。この為、太腿支持部２７を設けない場合であっても、臀部支持部２３によって臀部４２が前後方向及び左右方向において安定に、かつ自然に無理なく支持され、腰部４４の両側が腰部支持部２８における凸状湾曲形状の上部２８１により、後方から内側前方に向かって押されて支持されるため、着座者４１の上体を正しい姿勢の状態でサポートすることができる。
【００２６】
上記した実施形態によれば、以下のような効果を得ることができる。
（１）上記した実施形態によれば、着座者４１の臀部４２を支持する臀部支持部２３が前後方向及び左右方向において凹状湾曲形状に形成されている。従って、臀部支持部２３によって臀部４２を前後方向及び左右方向において安定に、かつ自然に無理なく支持することができるだけではなく、臀部４２を支持する面積が広くなって、体圧が分散される。このため、着座者４１は疲労や不快さをあまり感じることなく着座状態を維持できる。
【００２７】
（２）前部突出部２４の凹状湾曲形状をなす左右２箇所の太腿支持部２７により、着座者４１の両太腿４３が下側から広い面積で安定に支持されて、下肢４５が自然に揃えられる。また、太腿支持部２７は凹状湾曲形状になっている為に、両太腿４３が左右に開くことを規制する。従って、前記と同様に、体圧が分散されて、疲労等を感じることなく着座状態を維持できるとともに、着座者４１の骨盤１５１が傾くことなく、骨盤１５１を水平に保つことが可能になる。このため、図５に示すように、背骨１５２を左右方向において自然に直立させることができる。
【００２８】
（３）姿勢保持具２１の本体２２が硬質の板材によって形成されている。このため、姿勢保持具２１全体をクッション材等の厚手の弾性材により形成した従来構成とは異なって、太腿４３及び腰部４４を腰部支持部２８において、前記厚手の弾性材のような大きな弾性変形を生じることなくしっかりとサポートすることができて、姿勢の保持効果を高めることができる。仮に、着座者４１が姿勢を崩した場合、姿勢保持具２１はほとんど変形しないため、着座者４１は直ちに正しい姿勢に戻ることができる。そして、姿勢が正しく保持されることにより、姿勢を維持する筋肉が使用されて、その筋肉を鍛えることができ、その結果、姿勢保持具２１を使用しない場合も自然に正しい姿勢を保つことができる。また、姿勢保持具全体をクッション材で形成した前記従来構成では、姿勢保持具を椅子に載せた場合、その厚みのために座面が高くなって使用しにくいものとなる。これに対し、本実施形態では本体２２が硬質樹脂で形成されているため、従来構成とは異なり、姿勢保持具２１の厚みを薄くできて、姿勢保持具２１を椅子１００上に載せて用いることにおいて支障が生じることはほとんどない。
【００２９】
（４）臀部支持部２３から前部突出部２４にかけてその下面が前後方向において大きな曲率半径の球状曲面状をなしているため、着座者４１の着座状態において、姿勢保持具２１が前傾状態になる。従って、着座者４１の骨盤１５１が立った状態でサポートされ、着座者４１が、背筋が自然に伸びた姿勢となる。その着座者４１は、その状態で上部突出部２５の腰部支持部２８により腰部４４における背骨１５２の両側において、腸骨を含む骨盤１５１の部分が左右両側の斜め後ろから前方に向かって押されるように支持されて、腰部４４が包み込まれるようにサポートされる。
【００３０】
このため、着座者４１の腰椎の部分も前方に向かって押されて、図４及び図５に示すように、着座者４１は、臀部４２と両太腿４３が安定支持されることも相俟って、上体、すなわち背骨１５２が左右に傾くことなく、正しい姿勢となるように自然に理想的なＳカーブ形状となって起立される。しかも、脚３１によって姿勢保持具２１の左右方向の安定性を得ることができて、上体の傾きを抑制でき、さらに正しい姿勢を得ることができる。従って、仮に着座者４１の背骨１５２に左右方向への歪みがあっても、あるいは猫背気味であっても、体が正しい状態でサポートされて、着座者４１の上体が左右中立状態の適正な姿勢で自然に伸びる。
【００３１】
このため、着座者４１の腰への負担も軽減できて、着座者４１は、リラックスしながら背筋が伸びて正しい姿勢を無理なく維持でき、長時間着座していても、腰部４４や下肢４５に対する負担を少なくできて、疲労感を少なくすることができる。ちなみに、姿勢保持具２１を使用することなく、着座者４１の背骨１５２や、腰椎を直接前方へ押した場合も背筋を伸ばすことは可能であるが、このような場合、着座者４１は痛みや不快さを感じるため、長時間の着座維持は難しい。なお、着座者４１が、腰部４４が前方に湾曲する反り腰であっても、腰部４４を腰部支持部２８に支持することにより、骨盤１５１や背骨１５２が包み込まれるようにサポートされるため、腰部４４に対する負担を軽減できて、リラックスすることができる。
【００３２】
（５）臀部支持部２３及び前部突出部２４の下面が左右方向においても大きな曲率半径の球状曲面形状に形成されているため、姿勢保持具２１の左右方向へのある程度の傾動が許容される。従って、着座者４１は左右に上体を軽く傾けることができて、窮屈さを避けることができる。
【００３３】
（６）姿勢保持具２１における臀部支持部２３の下面の両側に脚３１が突設されている。このため、姿勢保持具２１を例えば椅子１００の座部上において滑りを生じたり、左右方向に過度に傾いたりすることを抑制して、安定状態で載置することができる。
【００３４】
（７）上部突出部２５の付け根部の両側部に第１抉り部３０が形成されている。このため、姿勢保持具２１の本体２２が硬質の合成樹脂によって形成されていても、着座者４１が臀部支持部２３に着座した状態で、仰け反ったりして上部突出部２５に対して後傾方向への荷重をかけた場合、上部突出部２５を撓曲させることができる。このため、着座者４１の正しい姿勢維持と、疲れにくさとに貢献できる。すなわち、姿勢保持具２１の本体２２が硬質の合成樹脂によって形成されているため、姿勢保持具２１が剛性と硬さとを備え、形状変化が小さいものの、所要部分の変形を確保できる。従って、姿勢保持具２１の本来の機能を有効に発揮するとともに、無理なくリラックスした姿勢保持に貢献できる。
【００３５】
（８）そして、これに加えて、臀部支持部２３が凹状の球状曲面形状に形成されているため、臀部支持部２３から上方に連続する上部突出部２５の付け根部も臀部支持部２３と同様な凹状の球状曲面形状に形成されている。従って、本実施形態と異なり、第１抉り部３０が形成されていない場合にあっては、上部突出部２５は、硬く、後方へ撓曲しにくい形状となるが、本実施形態では前記のように、上部突出部２５の付け根部の両側部に第１抉り部３０が形成されているため、撓曲しにくさが解消されて、上部突出部２５は着座者４１の体の動きに適切に対応できる。
【００３６】
（９）上部突出部２５の付け根部の両側に第１抉り部３０が形成されて、同部分が開放されているため、着座者４１が窮屈感を感じることを抑えることができる。これに対し、前記抉り部３０が形成されていない場合は、着座者４１は体形が大きい場合、臀部がこの部位に当たることもあり、このような場合は窮屈感を覚えることになる。
【００３７】
（１０）第１〜第３抉り部３０，２６，２９の形成によって姿勢保持具２１全体の軽量化を図ることができる。
（１１）前記のように、腰部支持部２８の間に第３抉り部２９が形成されている。このため、着座者４１が後方へ仰け反るようにした場合や、後ろに大きく凭れかかった場合に、着座者４１の背骨の部分が上部突出部２５に当たることを回避できる。従って、このような場合における不快さを避けることができる。
【００３８】
（１２）第１抉り部３０，第２抉り部２６，第３抉り部２９によって４箇所に抉り部が形成されている。このため、姿勢保持具２１全体が花弁形状を呈し、デザイン性に優れたものとすることができる。
【００３９】
（１３）前記第１抉り部３０の縁部３０１が他の部分より肉厚になるように形成されている。このため、上部突出部２５の傾動による変形により、第１抉り部３０に大きな応力が加わった場合でも、第１抉り部３０の縁部３０１が破損するおそれを抑制することができる。
【００４０】
（１４）前記本体２２の着座側の面にクッション材３２が設けられている。このため、クッション材３２の弾性作用及び緩衝作用により座り心地を良好に保つことができる。
（１５）全体が外装シート３４により被覆されている。このため、姿勢保持具２１全体の外観を美しく保つことができる。
【００４１】
（第２実施形態）
次に、本発明の第２実施形態を図１３に基づいて説明する。なお、この第２実施形態以降の実施形態及び変更例においては、第１実施形態と異なる部分を中心に説明する。
【００４２】
第２実施形態では、図１３に示すように、第１実施形態のような本体２２の第１孔３３及び第２孔２２１が設けられていない。従って、第２実施形態においては、本体２２の成形が容易になる。
【００４３】
（第３実施形態）
次に、本発明の第３実施形態を図１４〜図１８に基づいて説明する。
本実施形態においては、前記第１実施形態と比較して、第２抉り部２６及び第３抉り部２９の抉り度合いが浅く形成されている。
【００４４】
また、ポリプロピレン等の硬質材よりなる本体２２上の着座面側にはＥＶＡよりなる単層の外装シート５１がエラストマ系の接着剤を用いて接着されている。図１６及び図１８に示すように、外装シート５１の周縁部には折り返し５１１が形成され、この折り返し５１１が本体２２の周縁部に嵌められた状態で外装シート５１が本体２２の着座側の面に接着されている。本体２２の背面及び下面は露出されている。外装シート５１は柔軟性と弾力性とを有するとともに、通気性を有する多孔質材で構成されている。
【００４５】
上部突出部２５には複数の孔５２が形成されている。各孔５２は図１８に示すように、本体２２の孔５２１と外装シート５１の孔５２２とにより構成され、外装シート５１の孔５２１が本体２２の孔５２１より大きく形成されている。このため、外装シート５１の孔５２２の内周縁が本体２２の孔５２１の内周縁より孔中心側に突出して、着座者４１に対して本体２２の孔５２１の内周縁が当たらないようになっている。
【００４６】
図１５に示すように、前部突出部２５の底面及び脚３１の下端には摩擦係数の高い材質のものよりなる複数の滑り止め５３が貼着されている。
第３実施形態においては、以下の効果がある。
【００４７】
（１６）姿勢保持具２１が本体２２の着座面側に単層の外装シート５１を被せて構成されているため、部品点数が少なく、構成が簡単である。また、本体２２の背面及び下面が露出されているため、外装シート５１は小さなものでよく、しかも、外装シート５１を本体２２に被せることは容易である。従って、姿勢保持具２１を安価に製作できる。
【００４８】
（変更例）
なお、この実施形態は、次のように変更して具体化することも可能である。
・姿勢保持具２１の臀部支持部２３を球状曲面形状以外の形状、例えば平面や、円筒状凹形状、凹状湾曲形状等にすること。この場合、臀部支持部２３により、臀部４２が前後方向及び左右方向から安定に支持される効果は薄れる。しかし、左右方向については、太腿４３が凹状湾曲形状の太腿支持部２７により規制を受けることになるため、その影響を受けて、臀部４２も安定することになる。よって、着座者４１は、骨盤１５１を水平に保った状態で、腰部４４の両側が腰部支持部２８により、後方から内側前方に向かって押されて支持される。以上のように、姿勢保持具２１の臀部支持部２３を球状曲面形状以外の形状に形成した場合であっても、着座者４１の姿勢を正しい状態でサポートすることが可能である。
【００４９】
・クッション材３２を本体２２の着座側とその反対側との両方の面に設けること。
・クッション材３２を省略すること。
・外装シート３４を省略すること。
【００５０】
・クッション材３２及び外装シート３４の双方を省略すること。つまり、姿勢保持具２１を本体２２のみを含んで構成すること。
・姿勢保持具２１の下面の脚３１を省略し、その下面をフラットにすること。
【００５１】
・腰部支持部２８の付け根部の第１抉り部３０を左右の一側のみに設けること。
・第１抉り部３０以外の抉り部を形成しないようにすること。第３抉り部２９が形成されない場合、一対の腰部支持部２８が連続して外観上ひとつになるが、腰部支持部２８が前方に突出しているため、中央の連続部分が背骨１５２やその両側に当たることなく、腰部４４の両側を押さえることができるため、実質的には一対存在することになる。
【００５２】
・臀部支持部２３を前後方向または左右方向の一方向において直線状に形成すること。
・本体２２を樹脂をガラス繊維によって強化したＦＲＰ（ガラス繊維強化樹脂）により構成すること。
【符号の説明】
【００５３】
２１…姿勢保持具、２２…本体、２３…臀部支持部、２４…前部突出部、２５…上部突出部、２６…第２抉り部、２７…太腿支持部、２８…腰部支持部、２９…第３抉り部、３０…第１抉り部、３０１…縁部、３１…脚、３２…クッション材、３４…外装シート、４１…着座者、４２…臀部、４３…太腿、４４…腰部、４５…下肢、５２…背骨、ｔ１…縁部の肉厚、ｔ２…他の部分の肉厚。
【図１】
2020168583.tif 000003
【図２】
2020168583.tif 000004
【図３】
2020168583.tif 000005
【図４】
2020168583.tif 000006
【図５】
2020168583.tif 000007
【図６】
2020168583.tif 000008
【図７】
2020168583.tif 000009
【図８】
2020168583.tif 000010
【図９】
2020168583.tif 000011
【図１０】
2020168583.tif 000012
【図１１】
2020168583.tif 000013
【図１２】
2020168583.tif 000014
【図１３】
2020168583.tif 000015
【図１４】
2020168583.tif 000016
【図１５】
2020168583.tif 000017
【図１６】
2020168583.tif 000018
【図１７】
2020168583.tif 000019
【図１８】
2020168583.tif 000020
【手続補正書】
【提出日】令和2年8月26日(2020.8.26)
【手続補正１】
【補正対象書類名】特許請求の範囲
【補正対象項目名】全文
【補正方法】変更
【補正の内容】
【特許請求の範囲】
【請求項１】
着座者の臀部を支持可能な臀部支持部を備え、
前記臀部支持部の下面は左右方向において下向きに凸となる曲面状に形成されており、
前記下面には対をなす脚が突設されている姿勢保持具。
【請求項２】
着座者の臀部を支持可能な臀部支持部を備え、
前記臀部支持部の下面は前後方向において下向きに凸となる曲面状に形成されており、
前記下面には対をなす脚が突設されている姿勢保持具。
【請求項３】
着座者の臀部を支持可能な臀部支持部を備え、
前記臀部支持部の下面は下向きに凸となる球状曲面形状に形成されており、
前記下面には対をなす脚が突設されている姿勢保持具。
【請求項４】
前記対をなす脚は前記臀部支持部の前後方向において後方に形成されている請求項１ないし３のいずれか１項に記載の姿勢保持具。
【請求項５】
前記対をなす脚は前記臀部支持部の前後方向に延設されている請求項１ないし３のいずれか１項に記載の姿勢保持具。
【手続補正２】
【補正対象書類名】明細書
【補正対象項目名】０００１
【補正方法】変更
【補正の内容】
【０００１】
この発明は、例えば椅子の座部に載せて使用されるものであって、着座者の上体が左右に傾斜しにくいようにすることが可能な姿勢保持具に関するものである。
【手続補正３】
【補正対象書類名】明細書
【補正対象項目名】０００２
【補正方法】変更
【補正の内容】
【０００２】
従来、この種の姿勢保持具としては、例えば特許文献１に開示される構成が提案されている。この従来構成においては、姿勢保持具全体が発泡ポリウレタン等の厚手のクッション材により一体に成形されている。この姿勢保持具には、着座者の体重の大部分を負担する座部が備えられている。
【手続補正４】
【補正対象書類名】明細書
【補正対象項目名】０００４
【補正方法】変更
【補正の内容】
【０００４】
この従来構成においては、着座者の臀部は座部に沈み込むが、座部が左右方向においてフラットに形成されているため、着座者の下肢を安定して支持することが難しい。この結果、着座者は正しい姿勢をとりにくい。
【手続補正５】
【補正対象書類名】明細書
【補正対象項目名】０００５
【補正方法】変更
【補正の内容】
【０００５】
この発明は、このような従来の技術に存在する問題点に着目してなされたものである。その目的は、姿勢保持具の左右方向の動きを規制し、着座者の上体が左右に傾斜しにくいようにすることにある。
【手続補正６】
【補正対象書類名】明細書
【補正対象項目名】０００６
【補正方法】変更
【補正の内容】
【０００６】
上記の目的を達成するために、この姿勢保持具は、着座者の臀部を支持可能な臀部支持部を備え、前記臀部支持部の下面は左右方向において下向きに凸となる曲面状に形成されており、前記下面には対をなす脚が突設されたことを特徴としている。
【手続補正７】
【補正対象書類名】明細書
【補正対象項目名】０００７
【補正方法】変更
【補正の内容】
【０００７】
この構成によれば、姿勢保持具を椅子の座部等の設置面上に載置したとき、脚を介して姿勢保持具が設置面上において滑りをあまり生じることなく、安定状態に支持することができる。特に、脚は姿勢保持具の左右方向の動きを規制し、着座者の上体が左右に傾斜しにくいようにする。
【手続補正８】
【補正対象書類名】明細書
【補正対象項目名】０００８
【補正方法】変更
【補正の内容】
【０００８】
前記の姿勢保持具によれば、姿勢保持具の左右方向の動きを規制し、着座者の上体が左右に傾斜しにくいようにするという効果を発揮する。